(57)【特許請求の範囲】
【請求項１】
予め端末メモリに設定されている回路パラメータに基づいてそれぞれのセンサ端末でセンサデータを取得し、通信ネットワークを介して処理装置で収集するセンサデータ収集システムであって、
前記センサ端末に対して前記回路パラメータを設定する設定装置を備え、
前記設定装置は、
前記回路パラメータが登録されている回路パラメータＤＢと、
前記センサ端末からの設定要求に応じて、前記設定要求の要求元端末と対応する回路パラメータを前記回路パラメータＤＢから取得して前記要求元端末へ通知する設定制御部とを備え、
前記センサ端末は、
センサデータの取得開始前に前記設定要求を前記設定装置へ送信し、これに応じて前記設定装置から通知された前記回路パラメータを前記端末メモリに設定する端末制御部を備え、
前記設定制御部は、前記設定要求時、前記要求元端末とともに前記回路パラメータを設定すべきセンサ端末が、設定対象端末として予め登録されている場合、前記設定対象端末の全てについて、前記設定対象端末のそれぞれに対応する回路パラメータを前記回路パラメータＤＢから取得して、前記設定対象端末の全てにそれぞれ通知する
ことを特徴とするセンサデータ収集システム。
【請求項２】
請求項１に記載のセンサデータ収集システムにおいて、
前記回路パラメータは、前記センサ端末で前記センサデータを取得するセンサの種別を示すセンサ種別、前記センサから出力されたセンサ信号の増幅度を示す出力ゲイン、または、前記センサデータの取得間隔を示すデータ取得周期のうち、少なくともいずれか１つを含むことを特徴とするセンサデータ収集システム。
【請求項３】
請求項１または請求項２に記載のセンサデータ収集システムにおいて、
前記設定装置は、前記処理装置の一部として、または、前記センサ端末と前記通信ネットワークとの間に接続されて、前記センサ端末から送信された前記センサデータを前記処理装置へ中継転送するセンサ中継装置の一部として、実現されていることを特徴とするセンサデータ収集システム。
【請求項４】
予め端末メモリに設定されている回路パラメータに基づいてそれぞれのセンサ端末でセンサデータを取得し、通信ネットワークを介して処理装置で収集するセンサデータ収集システムで用いられる回路パラメータ設定方法であって、
前記センサ端末が、センサデータの取得開始前に前記回路パラメータに関する設定要求を設定装置へ送信する設定要求ステップと、
前記設定装置が、前記センサ端末からの前記設定要求に応じて、前記センサ端末と対応する回路パラメータを回路パラメータＤＢから取得して前記センサ端末へ通知する設定制御ステップと、
前記センサ端末が、前記設定要求に応じて前記設定装置から通知された前記回路パラメータを前記端末メモリに設定する回路パラメータ設定ステップとを備え、
前記設定制御ステップでは、前記設定要求時、要求元の前記センサ端末とともに前記回路パラメータを設定すべきセンサ端末が、設定対象端末として予め登録されている場合、前記設定対象端末の全てについて、前記設定対象端末のそれぞれに対応する回路パラメータを前記回路パラメータＤＢから取得して、前記設定対象端末の全てにそれぞれ通知する
ことを特徴とする回路パラメータ設定方法。
【発明の詳細な説明】
【技術分野】
【０００１】
本発明は、複数のセンサ端末で取得されたセンサデータを処理装置で収集するためのセンサデータ収集技術に関する。
【背景技術】
【０００２】
センサデータ収集システムは、遠隔地に設置したセンサからのデータを通信ネットワークを利用して、サーバに収集するシステムであり、業務の効率化、サービス性の向上、安心・安全の確保を目的として、遠隔検針、自動販売機の在庫管理、トラックの配送管理、ビニールハウスの温度監視、受変電設備の監視等、様々なサービスが展開されている。
また、一般家庭においても省エネに対する意識の高まりから、電流センサ、温度センサ、湿度センサ、照度センサ、人感センサ等のセンサ情報を用いて、効率的なエネルギー消費の実現に向けたエネルギーマネージメントシステムが考案されている。
【０００３】
これらのサービスで使われる、センサ端末においては、対象物理量の計測範囲に合った特性のセンサを選定し、端末内に組み込む必要があり、設置後に変更はできない。これに対して、最近、コンフィギュラブルなアナログフロントエンド回路が実用化され（例えば、非特許文献１など参照）、これを搭載することにより、端末設置後でも出力ゲイン等の回路パラメータを変更できるセンサ端末が実現できる。したがって、サービス要求条件に合わせて、回路パラメータを調整することにより、顧客のニーズに合った、多種多様なセンサネットワークを構築することができる。
【先行技術文献】
【非特許文献】
【０００４】
【非特許文献１】「Smart Analog」，Renesas，http://japan.renesas.com/products/smart_analog/
【発明の概要】
【発明が解決しようとする課題】
【０００５】
しかしながら、このような従来技術では、システム構築時、システム運用中にセンサ端末を増設する場合、既設センサ端末の故障による交換が発生する場合、あるいは、別システムで運用していたセンサ端末をリユースする場合には、新たに設置するセンサ端末に対して、作業者が手作業で所定の回路パラメータ設定をセンサ端末毎に個別に行う必要がある。また、同一システムに新たに設置する場合には、作業者が手作業で既設センサ端末と同一の回路パラメータ設定をセンサ端末毎に行う必要がある。この設定を誤ると、サーバ側で収集したセンサデータを正しく解釈することができなくなってしまう。したがって、設定・確認作業により運用・保守コストが増大するため、センサデータ収集システム全体のコストが増大するという問題点があった。
【０００６】
本発明はこのような課題を解決するためのものであり、センサ端末の追加設置、故障交換、リユースに要する作業負担を大幅に削減できるセンサデータ収集技術を提供することを目的としている。
【課題を解決するための手段】
【０００７】
このような目的を達成するために、本発明にかかるセンサデータ収集システムは、予め端末メモリに設定されている回路パラメータに基づいてそれぞれのセンサ端末でセンサデータを取得し、通信ネットワークを介して処理装置で収集するセンサデータ収集システムであって、前記センサ端末に対して前記回路パラメータを設定する設定装置を備え、前記設定装置は、前記回路パラメータが登録されている回路パラメータＤＢと、前記センサ端末からの設定要求に応じて、前記設定要求の要求元端末と対応する回路パラメータを前記回路パラメータＤＢから取得して前記要求元端末へ通知する設定制御部とを備え、前記センサ端末は、センサデータの取得開始前に前記設定要求を前記設定装置へ送信し、これに応じて前記設定装置から通知された前記回路パラメータを前記端末メモリに設定する端末制御部を備えている。
【０００８】
また、本発明にかかる上記センサデータ収集システムの一構成例は、前記設定制御部が、前記設定要求時、前記要求元端末とともに前記回路パラメータを設定すべきセンサ端末が、設定対象端末として予め登録されている場合、前記設定対象端末と対応する回路パラメータを前記回路パラメータＤＢから取得して、前記設定対象端末へ通知するようにしたものである。
【０００９】
また、本発明にかかる上記センサデータ収集システムの一構成例は、前記設定制御部が、前記設定要求時、前記要求元端末が属する端末グループ内で前記回路パラメータを設定すべきセンサ端末が、設定対象端末として予め登録されている場合、前記設定対象端末と対応する回路パラメータを前記回路パラメータＤＢから取得して、前記設定対象端末へそれぞれ通知するようにしたものである。
【００１０】
また、本発明にかかる上記センサデータ収集システムの一構成例は、前記設定制御部が、前記設定要求により回路パラメータの流用が指定されている場合、前記設定要求に含まれている前記要求元端末に設定済みの回路パラメータを、前記設定対象端末へそれぞれ通知するようにしたものである。
【００１１】
また、本発明にかかる上記センサデータ収集システムの一構成例は、前記回路パラメータが、前記センサ端末で前記センサデータを取得するセンサの種別を示すセンサ種別、前記センサから出力されたセンサ信号の増幅度を示す出力ゲイン、または、前記センサデータの取得間隔を示すデータ取得周期のうち、少なくともいずれか１つを含むものである。
【００１２】
また、本発明にかかる上記センサデータ収集システムの一構成例は、前記設定装置が、前記処理装置、または、前記センサ端末と前記通信ネットワークとの間に接続されて、前記センサ端末から送信された前記センサデータを前記処理装置へ中継転送するセンサ中継装置からなるものである。
【００１３】
また、本発明にかかる回路パラメータ設定方法は、予め端末メモリに設定されている回路パラメータに基づいてそれぞれのセンサ端末でセンサデータを取得し、通信ネットワークを介して処理装置で収集するセンサデータ収集システムで用いられる回路パラメータ設定方法であって、前記センサ端末が、センサデータの取得開始前に前記回路パラメータに関する設定要求を設定装置へ送信する設定要求ステップと、前記設定装置が、前記センサ端末からの前記設定要求に応じて、前記センサ端末と対応する回路パラメータを回路パラメータＤＢから取得して前記センサ端末へ通知する設定制御ステップと、前記センサ端末が、前記設定要求に応じて前記設定装置から通知された前記回路パラメータを前記端末メモリに設定する回路パラメータ設定ステップとを備えている。
【発明の効果】
【００１４】
本発明によれば、センサ端末の電源投入、センサ中継装置との通信開始、作業者による設定操作などを設定トリガとして、設定装置から通知された回路パラメータがセンサ端末に自動設定されることになる。このため、作業者の設定・確認作業を要することなく、センサ端末に複数の回路パラメータを誤りなく設定できる。したがって、センサ端末の追加設置、故障交換、リユースに要する作業負担を大幅に削減でき、運用・保守コストの削減により、センサデータ収集システム全体のコストを削減することが可能となる。特に、センサ端末数の多い大規模システムにおいて、顕著な効果が得られる。
【図面の簡単な説明】
【００１５】
【図１】第１の実施の形態にかかるセンサデータ収集システムの構成を示すブロック図である。
【図２】端末制御部の構成例である。
【図３】第１の実施の形態にかかる回路パラメータＤＢの構成例である。
【図４】第１の実施の形態にかかるセンサデータ収集システムの動作を示すシーケンス図である。
【図５】回路パラメータの設定に用いるパケットの構成例である。
【図６】第２の実施の形態にかかる回路パラメータＤＢの構成例である。
【図７】第２の実施の形態にかかるセンサデータ収集システムの動作を示すシーケンス図である。
【図８】第３の実施の形態にかかる回路パラメータＤＢの構成例である。
【図９】第３の実施の形態にかかるセンサデータ収集システムの動作を示すシーケンス図である。
【図１０】第４の実施の形態にかかる回路パラメータＤＢの構成例である。
【図１１】第４の実施の形態にかかるセンサデータ収集システムの動作を示すシーケンス図である。
【発明を実施するための形態】
【００１６】
次に、本発明の実施の形態について図面を参照して説明する。
［第１の実施の形態］
まず、図１を参照して、本発明の第１の実施の形態にかかるセンサデータ収集システム１について説明する。図１は、第１の実施の形態にかかるセンサデータ収集システムの構成を示すブロック図である。
このセンサデータ収集システム１は、各種のセンサデータを収集する際に用いられて、予め端末メモリに設定されている回路パラメータに基づいてそれぞれのセンサ端末１０でセンサデータを取得し、センサ中継装置ＲＴおよび通信ネットワークＮＷを介して処理装置ＳＶで収集するためのネットワークシステムである。
【００１７】
このセンサデータ収集システム１は、業務の効率化、サービス性の向上、安心・安全の確保を目的として、遠隔検針、自動販売機の在庫管理、トラックの配送管理、ビニールハウスの温度監視、受変電設備の監視、一般家庭用の省エネ管理など、様々な用途で用いられる。
【００１８】
センサ端末１０は、電圧センサ、電流センサ、温度センサ、湿度センサ、照度センサ、人感センサ、加速度センサなどのセンサを搭載し、センサで得られた電圧値、電流値、抵抗値、静電容量値などの物理量を示すセンサ信号を処理することによりセンサデータを取得する機能を有している。
センサ中継装置ＲＴは、ゲートウェイやルータなどのデータ転送装置からなり、センサ端末１０で取得されたセンサデータや、センサデータの取得に用いる回路パラメータを中継転送する機能を有している。
【００１９】
処理装置ＳＶは、全体としてサーバ装置などの情報処理装置からなり、通信ネットワークＮＷを介して収集したセンサデータに基づいて、対象の状況や事象発生を検知する機能を有している。
設定装置２０は、全体としてサーバ装置などの情報処理装置からなり、センサ端末１０から送信された設定要求に応じて、センサ端末１０に対応する回路パラメータを通知する機能を有している。なお、設定装置２０は、センサ中継装置ＲＴや処理装置ＳＶの一部として実現してもよく、システムの簡素化、ネットワーク負荷やリスクを分散できる。
【００２０】
［センサ端末］
次に、図１を参照して、本実施の形態にかかるセンサデータ収集システム１で用いられるセンサ端末１０の構成について詳細に説明する。
センサ端末１０には、主な機能部として、センサ１１、端末制御部１２、および通信Ｉ／Ｆ部１３が設けられている。
【００２１】
センサ１１は、電圧センサ、電流センサ、温度センサ、湿度センサ、照度センサ、人感センサ、加速度センサなどのセンサからなり、対象の状況を示す物理量を検出しセンサ信号として出力する機能を有している。
通信Ｉ／Ｆ部１３は、センサ中継装置ＲＴとデータ通信を行うことにより、センサデータや回路パラメータを送受信する機能とを有している。
【００２２】
端末制御部１２は、後述する端末メモリ１２Ｂに予め設定されている回路パラメータに基づいてセンサ１１からのセンサ信号を信号処理することによりセンサデータを取得し、得られたセンサデータを通信Ｉ／Ｆ部１３から処理装置ＳＶへ送信する機能と、センサ端末１０の電源投入、センサ中継装置ＲＴとの通信開始、作業者による設定操作などを設定トリガとして、センサデータの取得を開始する前に、回路パラメータの設定を要求する設定要求パケットを、予め登録されている設定装置２０へ通信Ｉ／Ｆ部１３から送信する機能と、これに応じて設定装置２０から設定応答パケットを通信Ｉ／Ｆ部１３を介して受信し、設定応答パケットで通知された回路パラメータをセンサデータの取得に用いる回路パラメータの設定値として、端末メモリ１２Ｂに設定する機能とを有している。
【００２３】
図２は、端末制御部の構成例である。図２において、端末制御部１２には、主な回路部として、センサＩ／Ｆ部ＳＩＦとマイクロコントローラＭＣとが設けられている。
センサＩ／Ｆ部ＳＩＦは、センサ１１を接続するためのＩ／Ｆ回路であり、センサ１１の種別に応じた回路構成を有している。
マイクロコントローラＭＣは、ＣＰＵなどの各種半導体回路をチップに搭載した制御用ＬＳＩであり、信号処理部１２Ａと端末メモリ１２Ｂを有している。
【００２４】
信号処理部１２Ａは、センサＩ／Ｆ部ＳＩＦから出力されたセンサ信号を、Ａ／Ｄ変換処理や各種演算処理を行うことにより、センサデータを生成する機能を有している。
端末メモリ１２Ｂは、半導体メモリからなり、通信Ｉ／Ｆ部１３で受信した設定装置２０からの回路パラメータを記憶する機能を有している。端末メモリ１２Ｂには、回路パラメータの設定値として、センサ種別、出力ゲイン、データ取得周期などの各種のパラメータが設定される。
【００２５】
マイクロコントローラＭＣは、端末メモリ１２Ｂに設定されている回路パラメータの設定値に基づき、センサ１１から出力されたセンサ信号を、信号処理部１２Ａで信号処理してセンサデータを生成する。
この際、回路パラメータは、センサ１１およびセンサＩ／Ｆ部ＳＩＦの選定、センサＩ／Ｆ部ＳＩＦの回路動作、信号処理部１２Ａでの処理内容の特定に用いられる。
【００２６】
このうち、センサ種別は、センサＩ／Ｆ部ＳＩＦ内部の回路切り替えに用いる。例えば、接続されたセンサ１１が電圧出力タイプである場合、スイッチＳＷをＯＦＦに切り替えて負荷抵抗ＲＬを切り離して、センサ１１からのセンサ信号の電圧値を信号処理部１２ＡでＡ／Ｄ変換し、接続されたセンサ１１が電流出力タイプである場合、スイッチＳＷをＯＮに切り替えて負荷抵抗ＲＬを接続することにより、負荷抵抗ＲＬの両端に生じた電圧値を信号処理部１２ＡでＡ／Ｄ変換することにより、１つのセンサＩ／Ｆ部ＳＩＦで電圧出力タイプおよび電流出力タイプの両方のセンサ１１に対応可能となる。
【００２７】
なお、図２では、センサＩ／Ｆ部ＳＩＦが１つの場合を例として説明したが、異なるセンサ種別のセンサ１１に対応するため、複数のセンサＩ／Ｆ部ＳＩＦを設けて、センサ種別に基づき切り替え選択するようにしてもよい。また、これらセンサＩ／Ｆ部ＳＩＦごとにそれぞれ別個のセンサ１１を接続して、マイクロコントローラＭＣに切り替え接続することにより、１つのセンサ端末１０で異なる複数種のセンサデータを取得するようにしてもよい。
【００２８】
また、出力ゲインは、センサＩ／Ｆ部ＳＩＦに設けられているセンサ信号増幅用の可変増幅器ＡＭＰに関する増幅度の制御に用いられる。これにより、センサ１１から出力されたセンサ信号の振幅を信号処理部１２ＡのＡ／Ｄ変換のレンジに合わせることができ、分解能の最適化やオーバーフローの回避を実現できる。
また、データ取得周期は、信号処理部１２ＡにおけるセンサＩ／Ｆ部ＳＩＦからのセンサ信号の取り込みタイミングの決定に用いられる。これにより、センサデータの中継転送頻度を調整でき、対象の状態に応じたデータ解像度の変更や、センサ中継装置ＲＴや通信ネットワークＮＷでの負荷を制御できる。また、センサ信号の取り込みタイミングを変更せずに信号処理部で通信Ｉ／Ｆ部への送信タイミングを変更する構成としてもよい。この場合、データ取得周期は、通信Ｉ／Ｆ部への送信タイミングの決定に用いられる。
【００２９】
［設定装置］
次に、図１を参照して、本実施の形態にかかるセンサデータ収集システム１で用いられる設定装置２０の構成について詳細に説明する。
設定装置２０には、主な機能部として、通信Ｉ／Ｆ部２１、設定制御部２２、および回路パラメータＤＢ２３が設けられている。
【００３０】
通信Ｉ／Ｆ部２１は、通信ネットワークＮＷを介してデータ通信を行うことにより、回路パラメータを通知する機能を有している。
設定制御部２２は、通信Ｉ／Ｆ部２１で受信したセンサ端末１０からの設定要求に応じて、センサ端末１０と対応する回路パラメータを回路パラメータＤＢ２３から取得してセンサ端末１０へ通知する機能を有している。
【００３１】
回路パラメータＤＢ２３は、センサ端末１０でのセンサデータの取得に用いる回路パラメータを蓄積するデータベースである。図３は、第１の実施の形態にかかる回路パラメータＤＢの構成例である。ここでは、センサ端末１０を識別するための端末ＩＤごとに、センサ種別、出力ゲイン、データ取得周期からなる回路パラメータが組として登録されている。
【００３２】
［第１の実施の形態の動作］
次に、図４および図５を参照して、本実施の形態にかかるセンサデータ収集システム１の動作について説明する。図４は、第１の実施の形態にかかるセンサデータ収集システムの動作を示すシーケンス図である。図５は、回路パラメータの設定に用いるパケットの構成例である。
ここでは、回路パラメータの設定を要求するセンサ端末１０を要求元端末という。
【００３３】
要求元端末において、電源投入に応じて設定トリガが発生した場合（ステップ１００）、要求元端末の端末制御部１２は、回路パラメータの設定を要求する設定要求パケットを設定装置２０へ送信する（ステップ１０１）。
この設定要求パケットには、図５（ａ）に示すように、要求元端末を識別するための端末ＩＤと、要求元端末における回路パラメータの設定状態とが含まれている。設定状態は、要求元端末に回路パラメータが設定されていない未設定の状態か、回路パラメータが設定されている設定済の状態かを示す情報であり、後述する回路パラメータの流用設定以外は、未設定を示している。
【００３４】
設定装置２０の設定制御部２２は、この設定要求パケットの受信に応じて、設定要求パケットに含まれている端末ＩＤに基づき、要求元端末と対応する回路パラメータを回路パラメータＤＢ２３から検索して取得し（ステップ１０２）、設定応答パケットにより要求元端末へ通知する（ステップ１０３）。
この設定応答パケットには、図５（ｂ）に示すように、要求元である要求元端末を識別するための端末ＩＤと、要求元端末に設定するための回路パラメータとが含まれている。
【００３５】
要求元端末の端末制御部１２は、この設定応答パケットの受信に応じて、設定応答パケットに含まれている回路パラメータを取得し、センサデータの取得に用いる回路パラメータの設定値として端末メモリ１２Ｂへ設定する（ステップ１０４）。
したがって、例えば図３に示したように、要求元端末の端末ＩＤが「０００１」の場合、回路パラメータとして「電圧」、「５０」、「１０ｓ」が回路パラメータＤＢ２３から取得されて、図２に示したように、センサ種別、出力ゲイン、データ取得周期の設定値として要求元端末に設定される。
【００３６】
これにより、端末制御部１２は、センサ種別「電圧」に基づきスイッチＳＷをＯＦＦに切り替えて負荷抵抗ＲＬをセンサ１１のセンサ信号から切り離すとともに、出力ゲイン「５０」に基づき可変増幅器ＡＭＰの増幅度を調整する。
この後、端末制御部１２は、データ取得周期「１０ｓ」に基づき１０秒ごとに、可変増幅器ＡＭＰで増幅されたセンサ信号を取り込んで（ステップ１１０）、その電圧値を信号処理部１２ＡでＡ／Ｄ変換して信号処理することによりセンサデータを生成し（ステップ１１１）、処理装置ＳＶへ送信する（ステップ１１２）。
【００３７】
［第１の実施の形態の効果］
このように、本実施の形態は、センサ端末１０が、センサデータの取得開始前に回路パラメータに関する設定要求を設定装置２０へ送信し、設定装置２０が、センサ端末１０からの設定要求に応じて、センサ端末１０と対応する回路パラメータを回路パラメータＤＢ２３から取得してセンサ端末１０へ通知し、センサ端末１０が、設定要求に応じて設定装置２０から通知された回路パラメータを端末メモリ１２Ｂに設定するようにしたものである。
【００３８】
これにより、センサ端末１０の電源投入、センサ中継装置ＲＴとの通信開始、作業者による設定操作などの設定トリガに応じて、設定装置２０から通知された回路パラメータがセンサ端末１０に自動設定されることになる。このため、作業者の設定・確認作業を要することなく、センサ端末１０に複数の回路パラメータを誤りなく設定できる。したがって、センサ端末１０の追加設置、故障交換、リユースに要する作業負担を大幅に削減でき、運用・保守コストの削減により、センサデータ収集システム１全体のコストを削減することが可能となる。特に、センサ端末数の多い大規模システムにおいて、顕著な効果が得られる。
【００３９】
［第２の実施の形態］
次に、本発明の第２の実施の形態にかかるセンサデータ収集システム１について説明する。
本実施の形態では、複数のセンサ端末１０に対して回路パラメータを一括して設定する場合について説明する。
【００４０】
本実施の形態において、設定装置２０の設定制御部２２は、センサ端末１０からの設定要求時、要求元端末とともに回路パラメータを設定すべきセンサ端末１０が、設定対象端末として予め登録されている場合、これら設定対象端末と対応する回路パラメータを回路パラメータＤＢ２３から取得して、設定対象端末へそれぞれ通知する機能を有している。
【００４１】
図６は、第２の実施の形態にかかる回路パラメータＤＢの構成例である。ここでは、前述した図２と同様にして、センサ端末１０を識別するための端末ＩＤごとに、センサ種別、出力ゲイン、データ取得周期からなる回路パラメータが組として登録されている。また、端末ＩＤ「０００１」，…，「ｘｘｘｘ」のセンサ端末１０が、設定対象端末として登録されている。なお、設定対象端末の登録は、回路パラメータと組として登録してもよく、回路パラメータＤＢ２３のうち回路パラメータとは別個のテーブルで登録してもよい。
【００４２】
［第２の実施の形態の動作］
次に、図７を参照して、本実施の形態にかかるセンサデータ収集システム１の動作について説明する。図７は、第２の実施の形態にかかるセンサデータ収集システムの動作を示すシーケンス図である。ここでは、回路パラメータの設定を要求するセンサ端末１０を要求元端末といい、回路パラメータＤＢ２３には、この要求元端末を含む設定対象端末＃１，＃２，…，＃Ｎ（Ｎは２以上の整数）が登録されているものとする。
【００４３】
要求元端末において、電源投入に応じて設定トリガが発生した場合（ステップ２００）、要求元端末の端末制御部１２は、回路パラメータの設定を要求する設定要求パケットを設定装置２０へ送信する（ステップ２０１）。この際、設定要求パケットの設定状態は、未設定の状態を示している。
【００４４】
設定装置２０の設定制御部２２は、この設定要求パケットの受信に応じて、設定要求パケットに含まれている端末ＩＤに基づき、要求元端末とともに回路パラメータを設定すべき設定対象端末＃１，＃２，…，＃Ｎを検索し（ステップ２０２）、これら設定対象端末＃１，＃２，…，＃Ｎと対応する回路パラメータを回路パラメータＤＢ２３からそれぞれ検索して取得する（ステップ２０３）。
【００４５】
この後、設定制御部２２は、取得した回路パラメータを、設定応答パケットにより各設定対象端末＃１，＃２，…，＃Ｎへそれぞれ通知する（ステップ２１１〜２１Ｎ）。
設定対象端末＃１，＃２，…，＃Ｎの端末制御部１２は、この設定応答パケットの受信に応じて、設定応答パケットに含まれている回路パラメータを取得し、センサデータの取得に用いる回路パラメータの設定値として端末メモリ１２Ｂへ設定する（ステップ２２１〜２２Ｎ）。
【００４６】
したがって、例えば図６に示したように、要求元端末の端末ＩＤが「０００１」である場合、要求元端末とともに回路パラメータを設定すべきセンサ端末１０として設定されている、端末ＩＤ「０００１」，…，「ｘｘｘｘ」のセンサ端末１０が設定対象端末として選択され、これら端末ＩＤ「０００１」，…，「ｘｘｘｘ」の設定対象端末に、それぞれの回路パラメータが設定されることになる。
【００４７】
［第２の実施の形態の効果］
このように、本実施の形態は、設定装置２０の設定制御部２２が、センサ端末１０からの設定要求時、要求元端末とともに回路パラメータを設定すべきセンサ端末１０が、設定対象端末として予め登録されている場合、これら設定対象端末と対応する回路パラメータを回路パラメータＤＢ２３から取得して、設定対象端末へそれぞれ通知するようにしたものである。
【００４８】
これにより、予め登録しておいた設定対象端末＃１，＃２，…，＃Ｎのうちのいずれか１つのセンサ端末１０からの設定要求に応じて、これらすべての設定対象端末＃１，＃２，…，＃Ｎに、それぞれの回路パラメータを一括して設定することが可能となる。したがって、複数のセンサ端末１０を新規設置あるいは追加設置する場合、極めて大幅に作業負担を削減することが可能となる。
【００４９】
［第３の実施の形態］
次に、本発明の第３の実施の形態にかかるセンサデータ収集システム１について説明する。
本実施の形態では、同じ端末グループに属する複数のセンサ端末１０に対して回路パラメータを一括して設定する場合について説明する。
【００５０】
本実施の形態において、設定装置２０の設定制御部２２は、センサ端末１０からの設定要求時、要求元端末が属する端末グループ内で回路パラメータを設定すべきセンサ端末１０が、設定対象端末として予め登録されている場合、これら設定対象端末と対応する回路パラメータを回路パラメータＤＢ２３から取得して、設定対象端末へそれぞれ通知する機能を有している。
【００５１】
図８は、第３の実施の形態にかかる回路パラメータＤＢの構成例である。ここでは、前述した図２と同様にして、センサ端末１０を識別するための端末ＩＤごとに、センサ種別、出力ゲイン、データ取得周期からなる回路パラメータと、センサ端末１０が属する端末グループのグループＩＤとが組として登録されている。また、グループＩＤが「０００１」のグループＡに属するセンサ端末１０のうち、端末ＩＤ「０００４」，…，「ｘｘｘｘ」のセンサ端末１０が、設定対象端末として登録されている。なお、設定対象端末の登録は、回路パラメータと組として登録してもよく、回路パラメータＤＢ２３のうち回路パラメータとは別個のテーブルで登録してもよい。
【００５２】
［第３の実施の形態の動作］
次に、図９を参照して、本実施の形態にかかるセンサデータ収集システム１の動作について説明する。図９は、第３の実施の形態にかかるセンサデータ収集システムの動作を示すシーケンス図である。ここでは、回路パラメータの設定を要求するセンサ端末１０を要求元端末といい、回路パラメータＤＢ２３には、この要求元端末を含む設定対象端末＃１，＃２，…，＃Ｎ（Ｎは２以上の整数）が登録されているものとする。
【００５３】
要求元端末において、電源投入に応じて設定トリガが発生した場合（ステップ３００）、要求元端末の端末制御部１２は、回路パラメータの設定を要求する設定要求パケットを設定装置２０へ送信する（ステップ３０１）。この際、設定要求パケットの設定状態は、未設定の状態を示している。また、設定要求パケットには、要求元端末が属する端末グループのグループＩＤが含まれている。
【００５４】
設定装置２０の設定制御部２２は、この設定要求パケットの受信に応じて、設定要求パケットに含まれているグループＩＤに基づき、要求元端末と同じグループＡに属するセンサ端末１０であって、かつ、要求元端末とともに回路パラメータを設定すべき設定対象端末＃１，＃２，…，＃Ｎを検索し（ステップ３０２）、これら設定対象端末＃１，＃２，…，＃Ｎと対応する回路パラメータを回路パラメータＤＢ２３からそれぞれ検索して取得する（ステップ３０３）。
【００５５】
この後、設定制御部２２は、取得した回路パラメータを、設定応答パケットにより各設定対象端末＃１，＃２，…，＃Ｎへそれぞれ通知する（ステップ３１１〜３１Ｎ）。
設定対象端末＃１，＃２，…，＃Ｎの端末制御部１２は、この設定応答パケットの受信に応じて、設定応答パケットに含まれている回路パラメータを取得し、センサデータの取得に用いる回路パラメータの設定値として端末メモリ１２Ｂへ設定する（ステップ３２１〜３２Ｎ）。
【００５６】
したがって、図８に示すように、要求元端末の端末ＩＤが「０００４」でグループＩＤ「０００１」のグループＡに属している場合、要求元端末が属するグループＡのうち、要求元端末とともに回路パラメータを設定すべきセンサ端末１０として設定されている、端末ＩＤ「０００４」，…，「ｘｘｘｘ」のセンサ端末１０が設定対象端末として選択され、これら端末ＩＤ「０００４」，…，「ｘｘｘｘ」の設定対象端末に、それぞれの回路パラメータが設定されることになる。この際、グループＢに設定対象端末が登録されていても、端末グループが異なるため、端末ＩＤ「０００４」の要求元端末からの設定要求に応じて選択されることはない。
【００５７】
［第３の実施の形態の効果］
このように、本実施の形態は、設定装置２０の設定制御部２２が、センサ端末１０からの設定要求時、要求元端末が属する端末グループ内で回路パラメータを設定すべきセンサ端末１０が、設定対象端末として予め登録されている場合、これら設定対象端末と対応する回路パラメータを回路パラメータＤＢ２３から取得して、設定対象端末へそれぞれ通知するようにしたものである。
【００５８】
これにより、異なる端末グループに属するセンサ端末１０の回路パラメータが混在して回路パラメータＤＢ２３に登録されている場合でも、予め登録しておいた設定対象端末＃１，＃２，…，＃Ｎのうちのいずれか１つのセンサ端末１０からの設定要求に応じて、同一端末グループに属するこれら設定対象端末＃１，＃２，…，＃Ｎに、それぞれの回路パラメータを一括して設定することが可能となる。したがって、特定の端末グループに属する複数のセンサ端末１０を新規設置あるいは追加設置する場合、極めて大幅に作業負担を削減することが可能となる。
【００５９】
［第４の実施の形態］
次に、本発明の第４の実施の形態にかかるセンサデータ収集システム１について説明する。
本実施の形態では、第３の実施の形態において、同じ端末グループに属する複数のセンサ端末１０に対して、設定要求の要求元である要求元端末の回路パラメータを流用して一括設定する場合について説明する。
【００６０】
本実施の形態において、設定装置２０の設定制御部２２は、設定要求により回路パラメータの流用が指定されている場合、設定要求に含まれている、要求元端末に設定済みの回路パラメータを流用して、設定対象端末へそれぞれ通知する機能を有している。
回路パラメータの流用設定は、図５（ａ）の設定要求パケットに含まれる「設定状態」を「設定済」とすることにより指定される。この際、要求元端末に設定済みの回路パラメータが設定要求パケットで通知される。
【００６１】
図１０は、第４の実施の形態にかかる回路パラメータＤＢの構成例である。ここでは、前述した図８と同様にして、センサ端末１０を識別するための端末ＩＤごとに、センサ種別、出力ゲイン、データ取得周期からなる回路パラメータと、センサ端末１０が属する端末グループのグループＩＤとが組として登録されている。また、グループＩＤが「０００１」のグループＡに属する、端末ＩＤ「０００４」，…，「ｘｘｘｘ」のセンサ端末１０が、設定対象端末として登録されている。なお、設定対象端末の登録は、回路パラメータと組として登録してもよく、回路パラメータＤＢ２３のうち回路パラメータとは別個のテーブルで登録してもよい。
【００６２】
［第４の実施の形態の動作］
次に、図１１を参照して、本実施の形態にかかるセンサデータ収集システム１の動作について説明する。図１１は、第４の実施の形態にかかるセンサデータ収集システムの動作を示すシーケンス図である。ここでは、回路パラメータの設定を要求するセンサ端末１０を要求元端末といい、回路パラメータＤＢ２３には、この要求元端末を含む設定対象端末＃１，＃２，…，＃Ｎ（Ｎは２以上の整数）が登録されているものとする。
【００６３】
要求元端末において、電源投入に応じて設定トリガが発生した場合（ステップ４００）、要求元端末の端末制御部１２は、回路パラメータの設定を要求する設定要求パケットを設定装置２０へ送信する（ステップ４０１）。この際、設定要求パケットの設定状態は、設定済の状態を示している。また、設定要求パケットには、要求元端末が属するシステムのグループＩＤと、要求元端末に設定されている回路パラメータとが含まれている。
【００６４】
設定装置２０の設定制御部２２は、この設定要求パケットの受信に応じて、設定要求パケットに含まれているグループＩＤに基づき、要求元端末と同じグループＡに属するセンサ端末１０のうちから、回路パラメータを設定すべき設定対象端末＃１，＃２，…，＃Ｎを検索し（ステップ４０２）、これら設定対象端末＃１，＃２，…，＃Ｎの回路パラメータとして、設定要求パケットに含まれる要求元端末の回路パラメータを、設定すべき回路パラメータとして流用する（ステップ４０３）。
【００６５】
この後、設定制御部２２は、流用した回路パラメータを、設定応答パケットにより各設定対象端末＃１，＃２，…，＃Ｎへそれぞれ通知する（ステップ４１１〜４１Ｎ）。
設定対象端末＃１，＃２，…，＃Ｎの端末制御部１２は、この設定応答パケットの受信に応じて、設定応答パケットに含まれている回路パラメータを取得し、センサデータの取得に用いる回路パラメータの設定値として端末メモリ１２Ｂへ設定する（ステップ４２１〜４２Ｎ）。
【００６６】
したがって、図１０に示すように、要求元端末の端末ＩＤが「０００１」でグループＩＤ「０００１」のグループＡに属している場合、要求元端末が属するグループＡのうち、回路パラメータを設定すべきセンサ端末１０として設定されている、端末ＩＤ「０００４」，…，「ｘｘｘｘ」のセンサ端末１０が設定対象端末として選択され、これら端末ＩＤ「０００４」，…，「ｘｘｘｘ」の設定対象端末に、要求元端末と同じ回路パラメータが流用されて設定されることになる。この際、グループＢに設定対象端末が登録されていても、端末グループが異なるため、端末ＩＤ「０００１」の要求元端末からの設定要求に応じて選択されることはない。
【００６７】
［第４の実施の形態の効果］
このように、本実施の形態は、設定装置２０の設定制御部２２が、設定要求により回路パラメータの流用が指定されている場合、設定要求に含まれている、要求元端末に設定済みの回路パラメータを、設定対象端末へそれぞれ通知するようにしたものである。
これにより、任意のセンサ端末１０と同じ回路パラメータを複数の設定対象端末へ一括して設定することが可能となる。したがって、特定のシステムに属する複数のセンサ端末１０を新規設置あるいは追加設置して、同じ回路パラメータを設定する場合、極めて大幅に作業負担を削減することが可能となる。
【００６８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６９】
１…センサデータ収集システム、１０…センサ端末、１１…センサ、１２…端末制御部、１２Ａ…信号処理部、１２Ｂ…端末メモリ、ＳＩＦ…センサＩ／Ｆ部、ＳＷ…スイッチ、ＲＬ…負荷抵抗、ＡＭＰ…可変増幅器、ＭＣ…マイクロコントローラ、１３…通信Ｉ／Ｆ部、２０…設定装置、２１…通信Ｉ／Ｆ部、２２…設定制御部、２３…回路パラメータＤＢ、ＲＴ…センサ中継装置、ＳＶ…処理装置、ＮＷ…通信ネットワーク。
【図１】
0006629671.tif 000002
【図２】
0006629671.tif 000003
【図３】
0006629671.tif 000004
【図４】
0006629671.tif 000005
【図５】
0006629671.tif 000006
【図６】
0006629671.tif 000007
【図７】
0006629671.tif 000008
【図８】
0006629671.tif 000009
【図９】
0006629671.tif 000010
【図１０】
0006629671.tif 000011
【図１１】
0006629671.tif 000012